(57)【要約】      （修正有）【課題】２個のスライダ同士を新規形式のボタンで接続可能とすることにより、簡単に固定することができるようなスライドファスナの引手を提供する。【解決手段】２個一組のスライダ４，５を使用するタイプのスライドファスナの引手である。それぞれの引手は本体部を有し、本体部は結合部１７，２７と、この結合部から離れた位置に設けられた操作部を有する。前記操作部を押圧すると、前記結合部の縁が支点となって、てこの作用により前記結合部の開閉が可能である。【選択図】図４
2015198832.tif 000002
【特許請求の範囲】
【請求項１】
２個一組のスライダ（４，５；４Ａ〜４Ｅ，５Ａ〜５Ｅ）を使用するタイプのスライドファスナの引手（１，２；１Ａ〜１Ｅ，２Ａ〜２Ｅ）であって、
それぞれの引手は本体部（１３，２３；１３Ａ〜１３Ｅ，２３Ａ〜２３Ｅ）を有し、
この本体部は結合部（１７，２７；１７Ａ〜１７Ｅ；２７Ａ〜２７Ｅ）と、この結合部から離れた位置に設けられた操作部（１５，２５；１３３，２３３；１３６，２３６；１３６Ｄ，２３６Ｄ）を有し、
前記操作部を押圧すると、前記結合部の縁が支点となって、てこの作用により前記結合部の開放が可能であることを特徴とするスライドファスナの引手。
【請求項２】
前記本体部（１３Ａ〜１３Ｅ；２３Ａ〜２３Ｅ）に回転防止機構が付加されている請求項１記載の引手。
【請求項３】
前記回転防止機構が、ほぼ垂直に曲げられている本体部（１３Ａ，２３Ａ）の一部（１３２，２３２）である請求項２記載の引手。
【請求項４】
前記回転防止機構が、本体部（１３Ｂ，２３Ｂ）に埋め込まれた永久磁石（１８）である請求項２記載の引手。
【請求項５】
前記回転防止機構が、山形状に張り出した本体部（１３Ｃ，２３Ｃ）の一部縁（１３４，２３４）に設けられた壁（１３５，２３５）である請求項２記載の引手。
【請求項６】
前記回転防止機構が、一方の前記本体部（１３Ｄ，２３Ｄ）に設けられた突起（１３７）と、他方の前記本体部に設けられた前記突起（１３７）がはまる窪み又は孔（２３７）である請求項２記載の引手。
【請求項７】
前記回転防止機構が、各本体部（１３Ｅ，２３Ｅ）に設けられた、互いに反り返った円板であり、各本体部の中央に結合部が設けられているものである請求項２記載の引手。
【請求項８】
さらに、市販状態のファスナ引手に元々ついている第１引手（１１，２１；１１Ａ〜１１Ｄ；２１Ａ〜２１Ｄ）をつなぐための連結具（１４，２４；１４Ａ〜１４Ｄ，２４Ａ〜２４Ｄ）を有している請求項１〜６のいずれかに記載の引手。
【発明の詳細な説明】
【技術分野】
【０００１】
本発明はスライドファスナの引手に関する。特にかばんなどによくみられる２個一組のスライダを使用するタイプのスライドファスナの引手に関する。
【背景技術】
【０００２】
２個一組のスライダを使用するタイプのファスナは両手を使用して双方向から開閉するので、１個のスライダを使用するタイプに比べて、１個当たりのスライダの走行距離を減らし、開閉の時間短縮を図ることができる。特に、部分的に小さく開けばよいときに便利である。
【０００３】
この種のスライダファスナを使用してスライダ同士を接近させて、かばんの開閉部を閉鎖しようとするとき、しっかりと最後まで接近させないことが案外に多いものである。そのようなとき、スライダ同士の隙間がだんだん広がっていき、ついにはかばんの中身まで見えてしまうことがある。そうなれば盗難などの原因にもなりかねない。
【０００４】
これを防ぐため、２個のスライダ同士を鍵で固定したり（特開２００３―２１０２１１）、永久磁石で吸着させて仮固定したり（特開２００２―１７４１０）する技術は公知である。
【先行技術文献】
【特許文献】
【０００５】
【特許文献１】特開２００３―２１０２１１
【特許文献２】特開２００２―１７４１０
【発明の概要】
【発明が解決しようとする課題】
【０００６】
鍵で固定するのは盗難予防には効果的であるが開閉に時間がかかると共に鍵を紛失したときには大変困る。その点、永久磁石で仮固定するのは簡単便利である。
【０００７】
本発明は２個のスライダ同士を新規形式のボタンで接続可能とすることにより、簡単に固定することができるようなスライドファスナの引手を提供することを目的とする。このボタンは手の不自由な障碍者でも利用可能である。
【課題を解決するための手段】
【０００８】
本発明は、２個一組のスライダを使用するタイプのスライドファスナの引手であって、それぞれの引手は本体部を有し、この本体部は結合部と、この結合部から離れた位置に設けられた操作部を有し、前記操作部同士を押圧すると、前記結合部の縁が支点となって、てこの作用により前記結合部の開放が可能であることを特徴とする（請求項１）。
【０００９】
好ましくは、本体部に回転防止機構が付加されている（請求項２）。
【００１０】
この回転防止機構として、例えば次のような構成を採用することができる。
（１）本体部に永久磁石が埋め込まれている（請求項３）。
（２）本体部の一部がほぼ垂直に曲げられている（請求項４）。
（３）本体部の一部が山形状に張り出し、その山形部分の縁部に壁が形成されている（請求項５）。
（４）一方の本体部に突起が、他方の本体部にこの突起がはまる窪み又は孔が設ける（請求項６）。
（５）各本体部が互いに反り返った円板状であり、各本体部の中央に結合部が設けられている（請求項７）
【００１１】
好ましくは、市販状態のファスナ引手に元々ついている第１引手とつなぐための連結具を有している（請求項８）。
【発明の効果】
【００１２】
請求項１〜６の発明によれば、てこを利用するので比較的に僅かな力で雌雄結合部を開放することができ、手の不自由な障碍者でも利用可能である。
【００１３】
請求項２〜６の発明によれば、本体部の回転が全面的又は部分的に阻止されるので、本体部が整列しやすくなり、てこの作用が発揮されやすくなる。
【００１４】
請求項７の発明によれば、本体部の回転は阻止されるわけではないが、本体部が円板状であるため、いつでも整列状態にあると考えることができる。
【００１５】
請求項８の発明によれば、市販状態のファスナ引手に元々ついている第１引手に対して事後的に取り付けることができる。
【図面の簡単な説明】
【００１６】
【図１】本発明第１実施例に係る引手の斜視図である。
【図２】本発明第１実施例に係る引手の雌部材の（ａ）正面図、（ｂ）背面図、（ｃ）側面図である。
【図３】本発明第１実施例に係る引手の雄部材の（ａ）正面図、（ｂ）背面図、（ｃ）側面図である。
【図４】本発明第１実施例に係る引手の使用状態を示す側面図である。（ａ）は接合状態、（ｂ）は開放作業中、（ｃ）は解放後である。
【図５】本発明第２実施例に係る引手の斜視図である。
【図６】本発明第２実施例に係る引手の雌部材の（ａ）正面図、（ｂ）背面図、（ｃ）側面図である。
【図７】本発明第２実施例に係る引手の雄部材の（ａ）正面図、（ｂ）背面図、（ｃ）側面図である。
【図８】本発明第２実施例に係る引手の使用状態を示す側面図である。（ａ）は接合状態、（ｂ）は開放作業中、（ｃ）は解放後である。
【図９】本発明第３実施例に係る引手の斜視図である。
【図１０】本発明第３実施例に係る引手の雌部材の（ａ）正面図、（ｂ）背面図、（ｃ）側面図である。
【図１１】本発明第３実施例に係る引手の雄部材の（ａ）正面図、（ｂ）背面図、（ｃ）側面図である。
【図１２】本発明第４実施例に係る引手の使用状態を示す側面図である。（ａ）は接合状態、（ｂ）は開放作業中、（ｃ）は解放後である。
【図１３】本発明第４実施例に係る引手の斜視図である。
【図１４】本発明第４実施例に係る引手の雌部材の（ａ）正面図、（ｂ）背面図、（ｃ）側面図である。
【図１５】本発明第４実施例に係る引手の雄部材の（ａ）正面図、（ｂ）背面図、（ｃ）側面図である。
【図１６】本発明第４実施例に係る引手の使用状態を示す側面図である。（ａ）は接合状態、（ｂ）は開放作業中、（ｃ）は解放後である。
【図１７】本発明第５実施例に係る引手の斜視図である。
【図１８】本発明第５実施例に係る引手の雌部材の（ａ）正面図、（ｂ）背面図、（ｃ）側面図である。
【図１９】本発明第５実施例に係る引手の雄部材の（ａ）正面図、（ｂ）背面図、（ｃ）側面図である。
【図２０】本発明第５実施例に係る引手の使用状態を示す側面図である。（ａ）は接合状態、（ｂ）は開放作業中、（ｃ）は解放後である。
【図２１】本発明第６実施例に係る引手の斜視図である。
【図２２】本発明第６実施例に係る引手の雌部材の（ａ）正面図、（ｂ）背面図、（ｃ）側面図である。
【図２３】本発明第６実施例に係る引手の雄部材の（ａ）正面図、（ｂ）背面図、（ｃ）側面図である。
【図２４】本発明第６実施例に係る引手の使用状態を示す側面図である。（ａ）は接合状態、（ｂ）は開放作業中、（ｃ）は解放後である。
【発明を実施するための形態】
【００１７】
以下、添付の図面に基づき、本発明の実施例を説明する。
【実施例１】
【００１８】
図１〜４は本発明の第１実施例に係るスライダの引手１，２である。スライドファスナ３に対して、２個一組のスライダ４，５が取り付けられている。スライダ４，５には工場出荷時から引手が取り付けられているのが普通であるので、その元々ある第１引手１１，２１を利用して第２引手１２，２２が取り付けられている。第１引手と第２引手を総称して「引手１，２」というが、第１引手１１，２１を廃止して、第２引手１２，２２のみを直接スライダ４，５に取り付けることもできる。
【００１９】
この第２引手１２，２２も２個一組（図２と図３参照）であり、それぞれ、本体部１３，２３と、この本体部と第１引手１１，２１をつなぐ連結具１４，２４を有する。図示の連結具１４，２４は紐であるがその他、鎖、リング、針金、等を使用することができる。
【００２０】
それぞれの本体部は、操作部１５，２５と、この操作部表面から下方に伸びる延長部１６，２６と、この延長部の末端近くに設けられる雄部材１７又は雌部材２７からなる。
【００２１】
この２個一組のスライダ４，５を使用して、かばん開閉部を閉鎖している状態（雌雄部材１７，２７の合体状態）を図４（ａ）に示す。この状態から開閉部を開放するには、図４（ｂ）において矢印で示すように、操作部１５，２５同士を２本の指で押して接近接触させる。すると、結合部の縁が支点となって、てこの原理で雌雄部材１７，２７は係合が解かれるので、そのまま引き離せばよい。てこを利用するので比較的に僅かな力で雌雄ボタンを開放することができ、手の不自由な障碍者でも利用可能である。逆に、接合させるときには単に雌雄部材１７，２７を接合させればよい。
【００２２】
この実施例では、たとえ雌雄部材１７，２７を接合させた状態でも、ある程度は相互に回転が可能である。もちろん、連結具１４，２４がついているので大きくは回転しないが、２個の操作部１５，２５の位置がぴったりと重ならず、ややずれた状態になりやすい。そのようにずれた状態では、てこの原理が効きにくくなる。
【００２３】
次に記載する実施例２以下では、本体部に回転阻止機構を設けている。
【実施例２】
【００２４】
図５〜８は本発明の第２実施例に係るスライダの引手１Ａ，２Ａである。スライドファスナに対して、２個一組のスライダ４Ａ，５Ａが取り付けられている。
【００２５】
第１実施例と同様に第１引手１１Ａ，２１Ａに第２引手１２Ａ，２２Ａが取り付けられている。第１引手と第２引手を総称して「引手１Ａ，２Ａ」というが、第１引手１１Ａ，２１Ａを廃止して、第２引手１２Ａ，２２Ａのみを直接スライダ４Ａ，５Ａに取り付けることもできる。
【００２６】
この第２引手１２Ａ，２２Ａも２個一組（図６と図７参照）であり、それぞれ、本体部１３Ａ，２３Ａと、この本体部と第１引手をつなぐ連結具１４Ａ，２４Ａを有する。図示の連結具１４Ａ，２４Ａはリングであるが、その他、紐、鎖、リング、針金、等を使用することができる。
【００２７】
それぞれの本体部１３Ａ，２３Ａは、細長い金属板であり、その一部（スライダ側後端）１３２，２３２がほぼ垂直に曲げられている。それぞれの基板の中央部には結合部（雌部材１７Ａ又は雄部材２７Ａ）が向かい合って設けられている。
【００２８】
この２個一組のスライダ４Ａ，５Ａを使用して、かばん開閉部を閉鎖している状態（雌雄部材の合体状態）を図８（ａ）に示す。この状態から開閉部を開放するには、図８（ｂ）において矢印で示すように、本体部の先端操作部１３３，２３３同士を２本の指で押して接近接触させる。すると、結合部の縁が支点となって、てこの原理で雌雄部材１７Ａ，２７Ａは係合が解かれるので、そのまま引き離せばよい。てこを利用するので比較的に僅かな力で雌雄ボタンを開放することができ、手の不自由な障碍者でも利用可能である。逆に、接合させるときには単に雌雄部材を接合させればよい。
【００２９】
第２実施例においては、閉鎖状態（図８ａ）において、曲げられた本体の一部１３２，２３２同士が重なり、互いにストッパの役割を果たすので重なり方向にはもはや回転できず、別方向のみに回転が限定される。第１実施例と比べると回転方向を１方向のみに減らすことができる。
【実施例３】
【００３０】
図９〜１２は本発明の第３実施例に係るスライダの引手１Ｂ，２Ｂである。スライドファスナに対して、２個一組のスライダ４Ｂ，５Ｂが取り付けられている。
【００３１】
第１、第２実施例と同様に第１引手１１Ｂ，２１Ｂに第２引手１２Ｂ，２２Ｂが取り付けられている。第１引手と第２引手を総称して「引手１Ｂ，２Ｂ」というが、第１引手１１Ｂ，２１Ｂを廃止して、第２引手１２Ｂ，２２Ｂのみを直接スライダ４Ｂ，５Ｂに取り付けることもできる。
【００３２】
この第２引手１２Ｂ，２２Ｂも２個一組（図１０と図１１参照）であり、それぞれ、本体部１３Ｂ，２３Ｂと、この本体部と第１引手をつなぐ連結具１４Ｂ，２４Ｂを有する。図示の連結具は紐であるがその他、鎖、リング、針金、等を使用することができる。
【００３３】
それぞれの本体部１３Ｂ，２３Ｂは、合成樹脂による一体成形のブロック体である。ブロック体の上端付近に結合部（雌部材１７Ｂ又は雄部材２７Ｂ）が、下端付近に永久磁石１８が、それぞれ向かい合って設けられている。結合部も合成樹脂で一体形成するのが好ましいが、永久磁石１８は埋め込みである。
【００３４】
この２個一組のスライダを使用して、かばん開閉部を閉鎖している状態（雌雄部材の合体状態）を図８（ａ）に示す。この状態から開閉部を開放するには、図８（ｂ）において矢印で示すように、本体部１３Ｂ，２３Ｂ先端同士を２本の指で押して接近接触させる。すると、結合部の縁が支点となって、てこの原理で雌雄部材は係合が解かれるので、そのまま引き離せばよい。てこを利用するので比較的に僅かな力で雌雄ボタンを開放することができ、手の不自由な障碍者でも利用可能である。逆に、接合させるときには単に雌雄部材を接合させればよい。
【００３５】
第３実施例においては、閉鎖状態（図１２ａ）において、永久磁石１８同士が付着するので本体部１３Ｂ，２３Ｂ同士が整列し、いずれの方向にも回転ができない。第２実施例と比べるとすべての方向の回転を阻止することができる。
【実施例４】
【００３６】
図１３〜１６は本発明の第４実施例に係るスライダの引手である。スライドファスナに対して、２個一組のスライダが取り付けられている。
【００３７】
第１〜３実施例と同様に第１引手１１Ｃ，２１Ｃに第２引手１２Ｃ，２２Ｃが取り付けられている。第１引手と第２引手を総称して「引手１Ｃ，２Ｃ」というが、第１引手１１Ｃ，２１Ｃを廃止して、第２引手１２Ｃ，２２Ｃのみを直接スライダ４Ｃ，５Ｃに取り付けることもできる。
【００３８】
この第２引手１２Ｃ，２２Ｃも２個一組（図１４と図１５参照）であり、それぞれ、本体部１３Ｃ，２３Ｃと、この本体部と第１引手をつなぐ連結具１４Ｃ，２４Ｃを有する。図示の連結具はリングであるがその他、紐、鎖、リング、針金、等を使用することができる。
【００３９】
それぞれの本体部１３Ｃは、細長い基板であり、その中央付近に結合部（雌部材１７Ｃ又は雄部材２７Ｃ）が、下端付近に連結具１４Ｃ，２４Ｃと連結するための孔が設けられている。基板の中央付近は左右方向にそれぞれ山形状に張り出している。その左右の山形部分１３４，２３４の縁部に１カ所ずつ向き合って一対の壁１３５，２３５が形成されている。
【００４０】
この２個一組のスライダを使用して、かばん開閉部を閉鎖している状態（雌雄部材の合体状態）を図１６（ａ）に示す。この状態から開閉部を開放するには、図１６（ｂ）において矢印で示すように、基板の操作部１３６，２３６同士を２本の指で押して接近接触させる。すると、結合部の縁が支点となって、てこの原理で雌雄部材は係合が解かれるので、そのまま引き離せばよい。てこを利用するので比較的に僅かな力で雌雄ボタンを開放することができ、手の不自由な障碍者でも利用可能である。逆に、接合させるときには単に雌雄部材を接合させればよい。
【００４１】
第４実施例においては、閉鎖状態（図１６ａ）において、２対の壁１３６，２３６が山形部分１３４，２３４を囲むので本体部１３Ｃ，２３Ｃ同士が重なり、いずれの方向にも回転ができない。第３実施例と同様にすべての方向の回転を阻止することができる。
【実施例５】
【００４２】
図１７〜２０は本発明の第５実施例に係るスライダの引手１Ｄ，２Ｄである。スライドファスナに対して、２個一組のスライダ４Ｄ，５Ｄが取り付けられている。
【００４３】
第１〜４実施例と同様に第１引手１１Ｄ，２１Ｄに第２引手１２Ｄ，２２Ｄが取り付けられている。第１引手と第２引手を総称して「引手１Ｄ，２Ｄ」というが、第１引手１１Ｄ，２１Ｄを廃止して、第２引手１２Ｄ，２２Ｄのみを直接スライダ４Ｄ，５Ｄに取り付けることもできる。
【００４４】
この第２引手１２Ｄ，２２Ｄも２個一組（図１８と図１９参照）であり、それぞれ、本体部１３Ｄ，２３Ｄと、この本体部と第１引手をつなぐ連結具１４Ｄ，２４Ｄを有する。図示の連結具はリングであるがその他、鎖、紐、針金、等を使用することができる。
【００４５】
それぞれの本体部１３Ｄ，２３Ｄは、金属又は合成樹脂の細長い板材である。板材の中央付近に結合部（雌部材１７Ｄ又は雄部材２７Ｄ）が、下端付近に突起１３７と孔（又は窪み２３７）が、それぞれ向かい合って設けられている。
【００４６】
この２個一組のスライダを使用して、かばん開閉部を閉鎖している状態（雌雄部材の合体状態）を図２０（ａ）に示す。この状態から開閉部を開放するには、図２０（ｂ）において矢印で示すように、本体部１３Ｄ，２３Ｄ先端同士１３６Ｄ，２３６Ｄを２本の指で押して接近接触させる。すると、結合部の縁が支点となって、てこの原理で雌雄部材は係合が解かれるので、そのまま引き離せばよい。てこを利用するので比較的に僅かな力で雌雄ボタンを開放することができ、手の不自由な障碍者でも利用可能である。逆に、接合させるときには単に雌雄部材を接合させればよい。
【００４７】
第５実施例においては、閉鎖状態（図２０ａ）において、突起１３７と孔２３７同士が嵌合するので本体部１３Ｄ，２３Ｄ同士が整列し、いずれの方向にも回転ができないので、すべての方向の回転を阻止することができる。
【実施例６】
【００４８】
図２１〜２４は本発明の第６実施例に係るスライダの引手１Ｅ，２Ｅである。スライドファスナに対して、２個一組のスライダ４Ｅ，５Ｅが取り付けられている。
【００４９】
第１〜５実施例と異なり、第１引手がなく、第２引手１２Ｅ，２２Ｅを連結具を介してスライダ４Ｅ，５Ｅに取り付けている。第１引手を取り付けてもよいことは言うまでもない。
【００５０】
この第２引手１２Ｅ，２２Ｅも２個一組（図２２と図２３参照）であり、それぞれ、本体部１３Ｅ，２３Ｅと、この本体部と第２引手をつなぐ連結具１４Ｅ，２４Ｅを有する。図示の連結具は三角リングであるがその他、鎖、紐、針金、等を使用することができる。
【００５１】
それぞれの本体部１３Ｅ，２３Ｅは、金属又は合成樹脂の円板である。円板の中央付近に結合部（雌部材１７Ｅ又は雄部材２７Ｅ）が設けられ、外周に向かうほど反りあがっている。
【００５２】
この２個一組のスライダを使用して、かばん開閉部を閉鎖している状態（雌雄部材の合体状態）を図２４（ａ）に示す。この状態から開閉部を開放するには、図２４（ｂ）において矢印で示すように、本体部１３Ｅ，２３Ｅ周縁同士を２本の指で押して接近接触させる。すると、結合部の縁が支点となって、てこの原理で雌雄部材は係合が解かれるので、そのまま引き離せばよい。てこを利用するので比較的に僅かな力で雌雄ボタンを開放することができ、手の不自由な障碍者でも利用可能である。逆に、接合させるときには単に雌雄部材を接合させればよい。
【００５３】
第６実施例においては、本体部は円板なので、雌雄部材から周縁までの距離はどこをとっても等しく、いずれの方向に回転しても、整列状態であることに変わりはない。そのため、本明細書では、一種の回転防止機構とみなしている。
【符号の説明】
【００５４】
１，１Ａ〜１Ｅ       一方の引手
１１，１１Ａ〜１１Ｄ        一方の第１引手
１２，１２Ａ〜１２Ｅ        一方の第２引手
１３，１３Ａ〜１３Ｅ        一方の本体部
１３２，２３２       本体部の一部（スライダ側後端）
１３３，２３３       操作部
１３４，２３４       山形部分
１３５，２３５       壁
１３６，２３６       先端
１３６，２３６       操作部
１４，１４Ａ〜１４Ｅ        一方の連結具
１５          操作部
１６          延長部
１７，１７Ａ〜１７Ｅ        雌部材
１８   永久磁石
２，２Ａ〜２Ｅ       他方の引手
２１，２１Ａ〜２１Ｄ        他方の第１引手
２２，２２Ａ〜２２Ｅ        他方の第２引手
２３，２３Ａ〜２３Ｅ        他方の本体部
２４，２４Ａ〜２４Ｅ        他方の連結具
２５          操作部
２６          延長部
２７，２７Ａ〜Ｅ            雄部材
３，スライドファスナ
４，４Ａ〜４Ｅ       一方のスライダ
５，５Ａ〜４Ｅ       他方のスライダ
【図１】
2015198832.tif 000003
【図２】
2015198832.tif 000004
【図３】
2015198832.tif 000005
【図４】
2015198832.tif 000006
【図５】
2015198832.tif 000007
【図６】
2015198832.tif 000008
【図７】
2015198832.tif 000009
【図８】
2015198832.tif 000010
【図９】
2015198832.tif 000011
【図１０】
2015198832.tif 000012
【図１１】
2015198832.tif 000013
【図１２】
2015198832.tif 000014
【図１３】
2015198832.tif 000015
【図１４】
2015198832.tif 000016
【図１５】
2015198832.tif 000017
【図１６】
2015198832.tif 000018
【図１７】
2015198832.tif 000019
【図１８】
2015198832.tif 000020
【図１９】
2015198832.tif 000021
【図２０】
2015198832.tif 000022
【図２１】
2015198832.tif 000023
【図２２】
2015198832.tif 000024
【図２３】
2015198832.tif 000025
【図２４】
2015198832.tif 000026